(57)【要約】【課題】浴室自動洗浄装置において、銀イオンを用いた浴室洗浄の際に発生する耐性菌の繁殖を抑制し、且つ人体に悪影響を及ぼす可能性のある銀イオンの濃度最適化により、装置の安全性を高める。【解決手段】浴室内に湯水を噴射可能な噴射手段と、前記噴射手段を作動させて浴室内を自動洗浄する洗浄運転を実行可能な制御手段を備えた浴室自動洗浄装置であって、前記噴射手段が噴射する湯水に銀イオンを供給可能な銀イオン供給手段と、前記浴室を乾燥可能な浴室乾燥手段とを備え、前記制御手段が、前記銀イオン供給手段により銀イオン水を供給した湯水を用いた実行後に、自動的に前記浴室乾燥手段を作動させて前記浴室を乾燥する乾燥運転を実行するように構成する浴室自動洗浄装置。【選択図】図１
2007271127.tif 000002
【特許請求の範囲】
【請求項１】
浴室内に湯水を噴射可能な噴射手段と、前記噴射手段を作動させて浴室内を自動洗浄する洗浄運転を実行可能な制御手段を備えた浴室自動洗浄装置であって、
前記噴射手段が噴射する湯水に銀イオンを供給可能な銀イオン供給手段と、
前記浴室を乾燥可能な浴室乾燥手段とを備え、
前記制御手段が、前記銀イオン供給手段により銀イオンを供給し前記洗浄運転を行う洗浄運転の実行後に、自動的に前記浴室乾燥手段を作動させて前記浴室を乾燥する乾燥運転を実行するように構成されている浴室自動洗浄装置。
【請求項２】
前記銀イオン供給手段は、前記湯水に含有する銀イオンの濃度が０．１ｍｇ／Ｌ以上、且つ２．０ｍｇ／Ｌ以下の範囲内になるように、前記銀イオンを供給するよう構成されている請求項１に記載の浴室自動洗浄装置。
【請求項３】
前記制御手段が、前記洗浄運転の実行周期と前記乾燥運転の実行周期とを各別に設定することが可能なように構成されている請求項１または２に記載の浴室自動洗浄装置。
【請求項４】
前記噴射手段が、前記浴室に湯水をミスト状にして噴射するミストノズルであり、
前記制御手段が、前記銀イオン供給手段を停止した状態で前記ミストノズルを作動させ、前記浴室内にミスト状の湯水を噴射し、当該浴室内をミストサウナとするミストサウナ運転を実行可能なように構成されている請求項１〜３のいずれか一項に記載の浴室自動洗浄装置。
【発明の詳細な説明】
【技術分野】
【０００１】
本発明は、浴室内に湯水を噴射可能な噴射手段と、前記噴射手段を作動させて浴室内を自動洗浄する洗浄運転を実行可能な制御手段を備えた浴室自動洗浄装置に関する。
【背景技術】
【０００２】
従来の上記浴室自動洗浄装置として、抗菌効果や防汚効果のある洗浄水を浴室内に噴射することで、前記浴室内を自動洗浄するものが知られている（例えば、特許文献１を参照。）。
又、上記のような洗浄水としては銀イオン水を用いることができ、このような銀イオン水は、水中で銀電極に通電して、水に銀イオンを供給することで生成することができる（例えば、特許文献２を参照。）。
【０００３】
【特許文献１】特開２００１−３５３２０７  号公報
【特許文献２】特開平０９−２２０２７３  号公報
【発明の開示】
【発明が解決しようとする課題】
【０００４】
上述した従来の浴室自動洗浄装置による洗浄運転を実行するだけでは、前記浴室の清潔性が維持できなくなるという問題があった。また、前記浴室の洗浄にあたって好適な銀イオン濃度の範囲については、あまり検討されていなかったが、単に濃度を高くしても洗浄効果が低下する場合があり、更に高くしすぎると貴重な銀を無駄にすることにもなるという問題がある。
【０００５】
本発明の目的は、上記課題の解決を図るため、当該課題の解決を図るための一形態である、洗浄運転の洗浄効果を常に高いものに維持し得る浴室自動洗浄装置を提供する点にある。
【課題を解決するための手段】
【０００６】
本発明に係る浴室自動洗浄装置の第１特徴構成は、浴室自動洗浄装置は浴室内に湯水を噴射可能な噴射手段と、前記噴射手段を作動させて浴室内を自動洗浄する洗浄運転を実行可能な制御手段を備えた浴室自動洗浄装置であって、前記噴射手段が噴射する湯水に銀イオンを供給可能な銀イオン供給手段と、前記浴室を乾燥可能な浴室乾燥手段とを備え、前記制御手段が、洗浄運転を実行後に、自動的に前記浴室乾燥手段を作動させて前記浴室を乾燥する乾燥運転を実行するように構成されていることを特徴とする。
【０００７】
本願発明者は、上記洗浄運転を繰り返し行うだけでは耐性菌がなお繁殖する場合があり、洗浄効果が経時的に低下することを見出し、かかる耐性菌の繁殖を抑止し得る方法として、本願発明を考案した。
上記第１特徴構成によれば、前記制御手段により前記噴射手段を作動させ、浴室内に銀イオンを噴射した後、自動的に浴室乾燥手段を実行する。このような洗浄運転及び乾燥運転が実行されると、銀イオンによる強い抗菌効果及び防カビ効果と浴室乾燥による細菌繁殖抑制効果との相乗効果が得られ、耐性菌の発生および繁殖を効果的に防止することが可能である。すなわち、従来の浴室自動洗浄装置では抑制できなかった耐性菌の発生及び繁殖を防止し、浴室自動洗浄装置の洗浄効果を常に高い状態に維持できる。
また、このように洗浄効果を高くできるので、銀イオン濃度を問題のない程度に低下できる。
【０００８】
本発明に係る浴室自動洗浄装置の第２特徴構成は、上記第１特徴構成に加えて、前記銀イオン供給手段が、前記湯水に含有する銀イオンの濃度が０．１ｍｇ／Ｌ以上且つ２．０ｍｇ／Ｌ以下の範囲内になるように、前記銀イオンを供給するよう構成されていることを特徴とする。
【０００９】
上記第２特徴構成によれば、銀イオン供給手段が供給する銀イオンの濃度を０．１ｍｇ／Ｌ以上、且つ２．０ｍｇ／Ｌ以下の範囲に設定し、銀イオンの供給を実行する。すなわち、本発明の発明者は、洗浄運転の後乾燥運転を行う場合の好適な銀イオン濃度について鋭意実験を繰り返すことにより、人体に影響を及ぼす恐れがなく、貴重な銀イオンを無駄にすることのない銀イオン濃度を特定した。即ち、銀イオン濃度を０．１ｍｇ／Ｌ以上にすることで、除菌効果及び防カビ効果を有する洗浄運転が可能であり、２．０ｍｇ／Ｌ以下にすることで安全性が確保され、且つ経済性をも向上させる洗浄運転が実行できる。また、必要十分な銀イオン濃度で前記洗浄運転を実行することにより、無用な銀イオンの噴射を防ぐことができるためより経済的で、環境にも優しい浴室自動洗浄装置が実現できる。
【００１０】
本発明に係る浴室自動洗浄装置の第３特徴構成は、上記第１特徴構成又は上記第２特徴構成に加えて、前記制御手段が、前記洗浄運転の実行周期と前記乾燥運転の実行周期とを各別に設定することが可能なように構成されていることを特徴とする。
【００１１】
上記第３の特徴構成によれば、浴室利用者が洗浄運転や乾燥運転の実行時毎に制御手段を作動させなくても、前記制御手段が、利用者の都合に合わせ、且つ浴室を清潔に保つべく適切なタイミングで洗浄運転を実行後に、自動的に耐性菌の発生及び繁殖を抑制するのに最も効率の良いタイミングで前記乾燥運転を実行するように設定することが可能である。
説明を加えると、耐性菌の繁殖を抑制するのに、洗浄運転を実行する毎に乾燥運転を実行する必要はなく、例えば毎日浴室を使用する場合、浴室使用後に洗浄運転を実行し、更に、洗浄運転を２ないし３回実行するのにつき、乾燥運転を１回実行すれば効果がある。このため、前記洗浄運転の実行回数に対する前記乾燥運転の実行割合は、浴室使用者が使用頻度に応じて予め設定できるように構成されており、浴室の使用頻度が変更されても、当該使用頻度において耐性菌を抑制するのに最適のタイミングで前記乾燥運転が実行されるよう設定できる。
したがって、一連の前記洗浄運転の実行を手動で行う煩雑さを軽減でき、且つ最適なタイミングで前記乾燥運転を実行することが可能となり、効果的且つ効率的に耐性菌の発生及び繁殖を抑制できる浴室自動洗浄装置を実現することができる。
【００１２】
本発明に係る浴室自動洗浄装置の第４特徴構成は、上記第１特徴構成から上記第３特徴構成のいずれかに加えて、前記噴射手段が、前記浴室に湯水をミスト状にして噴射するミストノズルであり、前記制御手段が、前記銀イオン供給手段を停止した状態で前記ミストノズルを作動させ、前記浴室内にミスト状の湯水を噴射し、当該浴室内をミストサウナとするミストサウナ運転を実行可能なように構成されていることを特徴とする。
【００１３】
上記第４特徴構成によれば、上記のようなミストサウナ運転を実行可能ないわゆるミストサウナ装置を、これまで説明してきた浴室自動洗浄装置により機能させることができる。即ち、ミストサウナ運転においては、加熱された湯水が噴射手段に備えられたミストノズルによりミスト状にして浴室内に供給されることになる。従って、浴室利用者は、加熱されて温度が高くなった湯水がミスト状態で供給されるから浴室内において快適にミストサウナの効果を得ることができる。
【発明を実施するための最良の形態】
【００１４】
以下本発明に係る浴室自動洗浄装置の実施形態を、図面に基づいて説明する。
図１及び図２に示すように、当該発明にかかる浴室自動洗浄装置は、温風を吹気し浴室Ｙ内の空気を排気することにより乾燥運転を実行する機能を有する収納ボックス３６と浴室Ｙ内に銀イオン水を噴射することにより洗浄運転を実行する機能を有する本体ケーシング３４からなる浴室乾燥洗浄機２と、湯水を加熱し外部配管路４を通して浴室乾燥洗浄機２へ送出する熱源機１と、浴室Ｙ内の空気を排気する排気ダクト４４と、熱源機１と浴洗浄乾燥機２を制御する制御部５と、制御部５に浴室自動洗浄装置の運転の起動、停止、各種運転モードの切り替え、浴室乾燥運転に関する情報を入力する制御情報入力部６から構成されている。
【００１５】
図３に示すように、熱源機１は、熱媒としての湯水が流通している熱媒用熱交換器７をバーナー８で加熱することにより湯水の温度を設定目標温度（例えば、８０℃程度）まで加熱することができる。バーナー８は、燃料供給路２７を通過し電磁断続弁２８とガス量調整弁２９で供給量が調整されたガスが供給され、点火機能を有するイグナイタ３１により点火され湯水を加熱する。さらに、バーナー８の着火状態を検出するフレームロッド３２とバーナー８へ酸素を供給するファン３０が備えられている。
熱源機１は、湯水を膨張タンク１０まで配送するタンク給水路２１と制御部５により湯水量を調整できる湯水電磁弁２３を備える。前記膨張タンク１０は、貯水量が最上限であることを制御部５に知らせる上限センサ２４と、貯水量が最下限であることを制御部５に知らせる下限センサ２５と、貯水量が上限を超えた時に貯水限界量以上の湯水を排水可能なオーバーフロー路２６により構成されている。
さらに熱源機１は、前記膨張タンク１０に蓄えられた湯水を加熱する熱媒用熱交換機７に圧送する循環ポンプ１３と、膨張タンク１０と熱媒用熱交換機７間をつなぐ熱媒連通路１６と、熱媒用熱交換機７より下流の水温を測定する往きサーミスタ２０とを備える。更に、加熱された湯水を浴室洗浄乾燥装置２へ送出する往き路１５と、浴室洗浄乾燥機２からの戻り湯水を膨張タンク１０に戻す戻り路１４と、往き路１５から戻り路１４へ過剰湯水供給分を分流するバイパス路１８とを備える。
【００１６】
図２に示すように、浴室洗浄乾燥機２は、温風を吹気し浴室Ｙ内の空気を排気することで乾燥運転を実行する浴室乾燥手段として機能する収納ボックス３６と、浴室Ｙ内に銀イオン水を噴射することで洗浄運転を実行する噴射手段として機能する本体ケーシング３４から構成されており、湯水を収納ボックス３６と本体ケーシング３４に供給する熱源供給路４８供給路途中で分岐する形で備えられている。
【００１７】
収納ボックス３６には、浴室Ｙ内の空気を吸気する吸気口３９と、熱源供給路４８から供給された湯水の熱により上記空気を加熱する空調用熱交換機１１と、上記空気を温風として浴室Ｙ内に送出する循環ファン３３と、上記温風の浴室Ｙ内への送出口となる吹出口４０と、浴室Ｙ内の空気を屋外に送出する換気ファン４５から構成されている。
【００１８】
本体ケーシング３４は、通水路４６から供給された水に電気分解により銀イオンを溶解し供給する銀イオン供給手段の一例である銀イオン供給部７０と、銀イオン供給部７０内に備えられた電極７０ａと７０ｂに印加する電圧を調整する電圧調整部７１と、銀イオン供給部７０に供給する湯水量を調整する通水量調整弁５２を備えている。また、電圧調整部７１及び通水量調整弁５２は、制御部５により制御される。電圧調整部７１により電圧を印加しない場合、銀イオンの供給を停止することができ、上記浴室Ｙ内に銀イオンを含まない湯水を噴射することができる。逆に、電圧調整部７１に電圧を印加すれば、湯水に銀イオンが供給され、浴室Ｙ内に銀イオン水を含む水が噴射することができ、洗浄運転が実行されることになる。さらに、電圧調整部７１により印加電圧を調整することにより、銀イオン濃度を任意の値に設定することができる。
本体ケーシング３４は、銀イオンの供給停止時に、通水路４６から供給された水を加熱する噴射用熱交換機１２を銀イオン供給部７０の下流に備え、さらにその下流に銀イオン水供給量を調節する供給弁４７と、湯水もしくは銀イオン水を浴室Ｙ内にミスト状にして噴射することができるミストノズル４１を備えたミスト噴出部３５と、ミスト噴出部３５の上流部に出水時の湯水もしくは銀イオン水の温度を測定する出湯温サーミスタ５３を備えている。さらに、出湯温サーミスタ５３の下流で供給弁４７の上流に、余分な湯水もしくは銀イオン水を排出できる排水路５５が備えられている。
【００１９】
制御情報入力部６では、浴室自動洗浄装置の電源スイッチ６１、運転モード切替スイッチ６２、液晶６３、及び各種設定を行うための選択ボタン６４と決定ボタン６５から構成されており、浴室自動洗浄装置の運転の起動、停止、運転モードの切り替え、自動乾燥運転頻度に関する設定を行うことができる。また、制御情報入力部６で設定できる運転モードは、洗浄運転、乾燥運転、ミストサウナ運転の三つの運転モードに切り替えることができる。更に、洗浄運転実行後に自動的に乾燥運転を実行できるように構成されている。
以下、各運転について説明する。
【００２０】
上記の洗浄運転は、湯水（温水又は冷水）に含有する銀イオンの濃度が０．１ｍｇ／Ｌ以上、且つ２．０ｍｇ／Ｌ以下の範囲内になるように、銀イオン供給部７０に供給する水量を水調整弁５２により調整し、且つ電流調整部７１により銀イオン供給部７０に流す電流を調整する。生成された銀イオン水をミスト噴出部３５に備えられているミストノズル４１によりミスト状にして浴室Ｙ内に噴射し、循環ファン３３を作動させる。
【００２１】
上記の乾燥運転は、熱源供給路４８から空調用熱交換器１１に湯水を供給し、吸気口３９から浴室Ｙ内の空気を取り込み、前記空気を循環通風路４２を通して前記空調用熱交換器１１に通風することで温風にし、前記温風を循環ファン３３により吹出口４０から浴室Ｙ内に吹き出す。
【００２２】
上記の乾燥運転は、洗浄運転を行うだけでは抑制することのできない耐性菌の発生及び繁殖を抑制するために、洗浄運転後に自動で実行される。浴室使用者は、制御入力装置６を用いて、浴室自動洗浄装置を最初に使用する際、若しくは使用頻度を変更する際に、浴室使用頻度に関する情報を入力する。制御装置４は、入力された浴室使用頻度に関する情報をキーとして、上記使用頻度において最も効率よく耐性菌を抑制できる乾燥周期を予め保持しているデータテーブルより検索して選択し、当該乾燥周期を登録する。制御装置４は、登録された乾燥周期に従って、洗浄運転とは各別に、且つ自動で乾燥運転を実行する。
【００２３】
上記のミストサウナ運転は、換気ファン４５を停止し、循環ファン３３及び熱源機１を作動させて、空調用熱交換器側断続弁５１の開閉を制御して熱源機１にて設定目標温度に加熱した湯水を空調用熱交換器１１に循環供給するようにしながら、噴射用熱交換器側断続弁４９を開弁させ、熱源機１にて設定目標温度に加熱した湯水を噴射用熱交換器１２にも循環供給する。又、供給弁４７及び通水量調整弁５２を開弁して、噴射用熱交換機１２へ通水路４６から水の供給を開始し、噴射用熱交換器１２にて温度調整された湯水をミスト噴出部３５からミスト状態で浴室Ｙ内に噴霧する。このとき、通水量調整弁５２の通水量はミストサウナ運転用の設定値として予め設定している通水量に設定する。
【００２４】
上記洗浄運転における銀イオン水噴射ノズルは、浴室Ｙ内で細菌やカビが発生しやすい箇所に集中して銀イオン噴射可能な構成にしてもよいし、浴室Ｙ内全体に銀イオンが偏りなく往き渡るように、銀イオン水をミスト状にして噴霧可能なように構成してもよい。
【００２５】
上記自動乾燥運転モードに設定時においては、制御情報入力部６により乾燥運転を手動で設定し、実行できるように構成してもよい。
【実施例】
【００２６】
本発明に係る浴室洗浄方法により浴室Ｙを洗浄した場合の除菌効果を確認するため、有機物存在下と非存在下において除菌を行うための最適銀イオン濃度を決定するための（第１−Ａ試験）、実際の浴室と近い条件で除菌のための最適銀イオン濃度を決定するための（第１−Ｂ試験）、及び洗浄運転と乾燥運転の相乗効果を確認するための（第２試験）を行った。
【００２７】
（第１−Ａ試験）
有機物非存在下と有機物存在下において、除菌を行うための最適銀イオン濃度を決定するため、以下の条件で試験を行った。
【００２８】
１．試験条件
１―１．共通条件
試験箇所：三角フラスコ内
試験試料：浴室の壁面、床面に存在するヌメリ菌を添加した滅菌水（５０ｍＬ）
温度：２５℃
サンプリング時期：０、３、６、２４時間後
標準培地：カゼインペプトン：５．０ｇ／Ｌ、
酵母抽出物：２．５ｇ／Ｌ、
グルコース：１．０ｇ／Ｌ
１―２．個別条件
（α）有機物非存在下
銀イオン濃度：  ０、０．０１、０．１、１．０ｍｇ／Ｌ
（β）有機物存在下
銀イオン濃度：  ０、０．１、０．２、０．４、０．６、０．８、１．０、２．０ｍｇ／Ｌ
液体培地（有機物）：カゼインペプトン：０．５ｇ／Ｌ、
酵母抽出物：０．２５ｇ／Ｌ、
グルコース：０．１ｇ／Ｌ
【００２９】
２．試験手法及び手順
上記条件で、有機物非存在下（α）と有機物存在下（β）における細菌数の銀イオン濃度依存性を測定する実験を行った。（α）では、三角フラスコ内に滅菌水を入れ、ヌメリ菌を添加し攪拌したものを試験試料とした。（β）では、三角フラスコ内に、上記に示した液体培地を有機物として入れ、ヌメリ菌を添加し攪拌したものを試験試料とした。
上記三角フラスコを、上記温度条件での下で、１５０ｒｐｍで振とうする。試験試料を
上記タイミングでサンプリングし、サンプリングした試料を標準寒天培地（標準培地に寒天１．５％添加したもの）に塗布した後、３０℃、４８時間培養して生菌数を計測した。
【００３０】
３．実験結果および考察
有機物非存在下（α）における実験結果を図４に示す。本試験結果から、ヌメリ成分を放出する細菌に対して有機物非存在下では、０．１ｍｇ／Ｌで良好な繁殖抑制効果を確認することができた。
次に、有機物存在下（β）における試験結果を図５に示す。本試験結果から、有機物存在下においては、０．８ｍｇ／Ｌ以上で細菌繁殖抑制効果を確認することができた。さらに２４時間後の細菌数から、銀イオン濃度が０．８、１．０ｍｇ／Ｌにおいては、耐性菌の発生を抑制することができず、２．０ｍｇ／Ｌまで高めると耐性菌の発生が抑制されていることが確認できた。
【００３１】
（第１−Ｂ試験）
実際の浴室と近い条件で除菌のための最適銀イオン濃度を決定するため、浴室試験片を用いて以下の条件で試験を行った。
【００３２】
１．試験条件
試験片：浴室壁面と同素材の浴室試験片（１０ｃｍ×１０ｃｍ）
試験試料：ヌメリ菌を添加した水道水（洗剤０．０１％含む）を二週間放置した溶液
温度：３０℃
銀イオン水量（銀イオン濃度）：５０ｍＬ（０、１．０、２．０、３．０、４．０ｍｇ／Ｌ）
試験期間：２４時間
【００３３】
２．試験手法及び手順
まず浴室試験片を、試験試料内に２ないし３週間沈殿させ放置する。そして、試験試料から取り出した浴室試験片に銀イオン溶液を噴霧して、３０℃、２４時間放置する。さらに、浴室試験片表面の細菌量を計測可能量に培養するため、浴室試験片表面を拭払し、払拭した表面付着物を標準培地に塗布して３０℃、４８時間放置し、当該標準培地上で培養された細菌数を計測した。
【００３４】
３．実験結果および考察
実験結果を図６に示す。各銀イオン濃度における細菌数の推移データから、浴室試験片に噴霧する銀イオン濃度が１．０ｍｇ／Ｌではある程度効果があり、２．０ｍｇ／Ｌ以上になった場合、浴室試験片上から測定される細菌数の発生を完全に抑制できることを確認した。
【００３５】
（第２試験）
洗浄運転と乾燥運転の相乗効果による耐性菌抑制効果を確認するため、以下の条件で試験を行った。
【００３６】
１．実験条件
銀イオン水量（銀イオン濃度）：５０ｍＬ（２．０ｍｇ／Ｌ）
他の条件は、（第１―Ｂ試験）と同様。
【００３７】
２．実験手法及び手順
第１試験で使用した浴室試験片に、銀イオン溶液を毎日連続で噴霧する。そして、浴室試験片をほぼ隔日で２時間乾燥する場合（ａ）と、まったく乾燥しない場合（ｂ）とで、それぞれ浴室試験片上の細菌数を第１試験と同様の方法で計測した。
【００３８】
３．試験結果および考察
上記試験方法で試験を行った結果、（ｂ）の場合は実験開始から２０日経過した後、浴室試験片上において耐性菌が発生し繁殖し始めたのに対し、（ａ）の場合は耐性菌の発生および繁殖を抑制することができた。
【００３９】
（総括）
以上で説明した実験結果から、銀イオンを利用した洗浄を行う場合０．１ｍｇ／Ｌ以上で繁殖抑制効果を得ることができる。この効果は、２．０ｍｇ／Ｌとすると細菌の発生をほぼ完全に抑制できるものとなる。ただし、本願にあっては、銀イオンを利用した洗浄と浴室乾燥を組み合わせるため、銀イオンによる抑制効果が低くても乾燥による抑制効果との相乗効果により、細菌の発生及び繁殖を抑制しさらに耐性菌の発生及び繁殖まで良好に抑制することができる。
【産業上の利用可能性】
【００４０】
本発明に係る浴室自動洗浄装置は、銀イオン噴射による洗浄運転と乾燥運転の運転周期を各別に設定し、さらに乾燥運転については最適のタイミングに自動で実行することで、従来の浴室洗浄装置では抑制することのできなかった耐性菌の発生及び繁殖を効果的に抑制することができる。また実験により、高い除菌効果を有するのに充分な銀イオン濃度の範囲を特定することができたため、上記浴室自動洗浄装置は当該銀イオン濃度により浴室洗浄を実行することにより、安全面、効率面、環境面に配慮した洗浄装置として好適に利用可能である。
【図面の簡単な説明】
【００４１】
【図１】浴室自動洗浄装置の斜視図
【図２】浴室乾燥洗浄機の概略構成図
【図３】熱源機の概略構成図
【図４】有機物非存在下における細菌繁殖数の銀イオン濃度依存性を示すグラフ図
【図５】有機物存在下における細菌繁殖数の銀イオン濃度依存性を示すグラフ図
【図６】ぬめり菌の繁殖数の銀イオン濃度依存性を示すグラフ図
【符号の説明】
【００４２】
５              制御手段（制御部）
３４            噴射手段（本体ケーシング）
３６            乾燥手段（収納ボックス）
７０            銀イオン供給手段（銀イオン供給部）
４１            ミストノズル
【図１】
2007271127.tif 000003
【図２】
2007271127.tif 000004
【図３】
2007271127.tif 000005
【図４】
2007271127.tif 000006
【図５】
2007271127.tif 000007
【図６】
2007271127.tif 000008